(57)【要約】【課題】  連続リード時のデータと単体リード時のデータとを一致させる。【解決手段】  複数の検出電極と、駆動信号が印加される駆動電極との間に形成される静電容量の変化に基づいてタッチ位置を検出する静電容量型タッチセンサ用の信号処理回路であって、複数の検出電極から１つを選択する選択回路と、複数の検出電極のうち選択回路によって選択された検出電極と、駆動電極との間に形成される静電容量に応じた検出信号を出力する検出回路と、選択回路を制御する制御回路と、を有し、制御回路は、選択回路が複数の検出電極のすべてを順次選択する場合には、所定の順序で複数の検出電極から１つずつ選択するように選択回路を制御し、選択回路が複数の検出電極のうちの一部の検出電極のみを選択する場合には、所定の順序において当該一部の検出電極の直前に選択される検出電極を選択した後に、当該一部の検出電極を選択するように選択回路を制御する。【選択図】  図３
2013182593.tif 000002
【特許請求の範囲】
【請求項１】
複数の検出電極と、駆動信号が印加される駆動電極との間に形成される静電容量の変化に基づいてタッチ位置を検出する静電容量型タッチセンサ用の信号処理回路であって、
前記複数の検出電極から１つを選択する選択回路と、
前記複数の検出電極のうち前記選択回路によって選択された検出電極と、前記駆動電極との間に形成される静電容量に応じた検出信号を出力する検出回路と、
前記選択回路を制御する制御回路と、
を有し、
前記制御回路は、
前記選択回路が前記複数の検出電極のすべてを順次選択する場合には、所定の順序で前記複数の検出電極から１つずつ選択するように前記選択回路を制御し、
前記選択回路が前記複数の検出電極のうちの一部の検出電極のみを選択する場合には、前記所定の順序において当該一部の検出電極の直前に選択される検出電極を選択した後に、当該一部の検出電極を選択するように前記選択回路を制御することを特徴とする静電容量型タッチセンサ用の信号処理回路。
【請求項２】
前記制御回路は、前記選択回路が前記複数の検出電極のうちの１つの検出電極のみを選択する場合には、前記所定の順序において当該１つの検出電極の直前に選択される検出電極と、当該１つの検出電極とを前記所定の順序で選択するように前記選択回路を制御することを特徴とする請求項１に記載の静電容量型タッチセンサ用の信号処理回路。
【請求項３】
前記選択回路は、一端がそれぞれ前記複数の検出電極に接続され、他端がいずれも前記検出回路の入力端に接続された複数のスイッチ回路を含み、
前記制御回路は、前記複数のスイッチ回路をそれぞれオン・オフ制御するための複数の制御信号を出力することを特徴とする請求項１または請求項２に記載の静電容量型タッチセンサ用の信号処理回路。
【請求項４】
前記複数の検出電極をそれぞれ所定の電位に接続する放電回路をさらに有し、
前記制御回路は、前記複数の検出電極のうち、前記選択回路によって選択されている検出電極を前記所定の電位に接続せず、前記選択回路によって選択されていない検出電極を前記所定の電位に接続するように前記放電回路を制御することを特徴とする請求項１ないし請求項３の何れかに記載の静電容量型タッチセンサ用の信号処理回路。
【請求項５】
駆動電極と、
前記駆動電極に駆動信号を印加する駆動回路と、
複数の検出電極と、
前記複数の検出電極から１つを選択する選択回路と、
前記選択回路によって選択された検出電極と、前記駆動電極との間に形成される静電容量に応じた検出信号を出力する検出回路と、
前記選択回路を制御する制御回路と、
を有し、
前記制御回路は、
前記選択回路が前記複数の検出電極のすべてを順次選択する場合には、所定の順序で前記複数の検出電極から１つずつ選択するように前記選択回路を制御し、
前記選択回路が前記複数の検出電極のうちの一部の検出電極のみを選択する場合には、前記所定の順序において当該一部の検出電極の直前に選択される検出電極を選択した後に、当該一部の検出電極を選択するように前記選択回路を制御することを特徴とする静電容量型タッチセンサ。
【発明の詳細な説明】
【技術分野】
【０００１】
本発明は、静電容量型タッチセンサ用の信号処理回路、および静電容量型タッチセンサに関する。
【背景技術】
【０００２】
近年、携帯電話機のタッチパネルやノート型パーソナルコンピュータのタッチパッドなど、電子機器の入力装置としてタッチセンサを用いたものが広く採用されている。また、タッチセンサとして、人の指などの接触または接近による静電容量の変化に基づいてタッチ位置を検出する静電容量型タッチセンサが知られている。  
静電容量型タッチセンサは、タッチパネルなどの検出電極と駆動電極との間に形成される静電容量に応じた値（センサ出力値）を出力する。しかしながら、当該センサ出力値は、温度や湿度、周囲からの電界などの使用環境によって敏感に変化するため、キャリブレーションなどと呼ばれる補正処理が必要となる。例えば、特許文献１では、タッチパッドに人の指等が触れられていない瞬間を捉えて、短時間でキャリブレーションを行うことができる静電容量型タッチセンサが開示されている。  
このようにして、静電容量型タッチセンサの補正処理を行うことによって、タッチ位置を正確に検出することができる。
【先行技術文献】
【特許文献】
【０００３】
【特許文献１】特開２０１１−１７０６１７号公報
【発明の概要】
【発明が解決しようとする課題】
【０００４】
複数のチャネル（検出電極）を有する静電容量型タッチセンサでは、各チャネルを所定の順序で選択しながら順次切り替え、選択されたチャネルのデータを連続して高速に読み出している。また、補正処理を行うか否かの判定などのためにチャネルのデータを読み出す場合には、短時間で行うため、その都度選択された１つのチャネルのデータを読み出している。以下、前者のデータ読み出しを連続リードと称し、後者のデータ読み出しを単体リードと称することとする。  
例えば、チャネルＣＨ０ないしＣＨ７を有する静電容量型タッチセンサでは、チャネルＣＨ０ないしＣＨ７のデータ（以下、ＣＨ０データないしＣＨ７データと称する）を連続リードした後、１つのチャネルのデータ（例えばＣＨ３データ）を単体リードする。また、次の読み出し周期においては、ＣＨ０データないしＣＨ７データを連続リードした後、次の１つのチャネルのデータ（ＣＨ４データ）を単体リードする。
【０００５】
しかしながら、連続リード時と単体リード時とでは、チャネルを切り替えるタイミングや、選択されたチャネルと駆動電極との間に形成される電界分布などが異なるため、同じチャネルのデータが同一とはならない。例えば、連続リード時のＣＨ４データと単体リード時のＣＨ４データとは一致しない。特に、静電容量を電圧に変換するＣＶアンプ（容量・電圧変換回路）を用いた検出回路では、静電容量を敏感に検出することができるため、データの差が顕著となる。  
そのため、連続リード時のデータと単体リード時のデータとの差分をチャネルごとにオフセット演算して、両データを一致させる必要がある。また、タッチセンサが用いられるスイッチの形状などによってもオフセット値が異なるため、モジュールごとの調整が必要となる。さらに、オフセット値が温度特性やばらつきを持つ場合には、より調整が困難となる。
【課題を解決するための手段】
【０００６】
前述した課題を解決する主たる本発明は、複数の検出電極と、駆動信号が印加される駆動電極との間に形成される静電容量の変化に基づいてタッチ位置を検出する静電容量型タッチセンサ用の信号処理回路であって、前記複数の検出電極から１つを選択する選択回路と、前記複数の検出電極のうち前記選択回路によって選択された検出電極と、前記駆動電極との間に形成される静電容量に応じた検出信号を出力する検出回路と、前記選択回路を制御する制御回路と、を有し、前記制御回路は、前記選択回路が前記複数の検出電極のすべてを順次選択する場合には、所定の順序で前記複数の検出電極から１つずつ選択するように前記選択回路を制御し、前記選択回路が前記複数の検出電極のうちの一部の検出電極のみを選択する場合には、前記所定の順序において当該一部の検出電極の直前に選択される検出電極を選択した後に、当該一部の検出電極を選択するように前記選択回路を制御することを特徴とする静電容量型タッチセンサ用の信号処理回路である。
【０００７】
本発明の他の特徴については、添付図面及び本明細書の記載により明らかとなる。
【発明の効果】
【０００８】
本発明によれば、連続リード時のデータと単体リード時のデータとを一致させ、両データ間のオフセット演算を不要とすることができる。
【図面の簡単な説明】
【０００９】
【図１】本発明の第１実施形態における静電容量型タッチセンサの構成を示す回路ブロック図である。
【図２】本発明の第１実施形態における静電容量型タッチセンサの連続リード時の動作を説明する図である。
【図３】本発明の第１実施形態における静電容量型タッチセンサの単体リード時の動作を説明する図である。
【図４】本発明の第２実施形態における静電容量型タッチセンサの構成を示す回路ブロック図である。
【図５】本発明の第２実施形態における静電容量型タッチセンサの連続リード時の動作を説明する図である。
【図６】本発明の第２実施形態における静電容量型タッチセンサの単体リード時の動作を説明する図である。
【発明を実施するための形態】
【００１０】
本明細書および添付図面の記載により、少なくとも以下の事項が明らかとなる。
【００１１】
＜第１実施形態＞
＝＝＝静電容量型タッチセンサの構成＝＝＝
以下、図１を参照して、本発明の第１の実施形態における静電容量型タッチセンサの構成について説明する。  
図１に示されている静電容量型タッチセンサは、チャネル（検出電極）ＣＨ０ないしＣＨ７を有し、信号処理回路１ａ、タッチパネル３、およびマイクロコンピュータ５を含んで構成されている。
【００１２】
信号処理回路１ａは、制御回路１１、選択回路１２、検出回路１３、ＡＤＣ（アナログ・デジタル変換回路）１４、および駆動回路１５を含み、少なくとも、タッチパネル３が接続される端子２０ないし２８を備えた集積回路として構成されている。端子２０ないし２７には、それぞれタッチパネル３のチャネルＣＨ０ないしＣＨ７が接続され、端子２８には、タッチパネル３の駆動電極が接続されている。また、信号処理回路１ａは、Ｉ２Ｃ（Inter-Integrated Circuit）バスなどを介して、マイクロコンピュータ５と接続されている。
【００１３】
制御回路１１は、マイクロコンピュータ５の制御に従って、信号処理回路１ａ全体の動作を制御する回路である。制御回路１１から選択回路１２には、制御信号ＣＮ０ないしＣＮ７が入力され、制御回路１１から検出回路１３には、制御信号ＣＮｃが入力されている。また、制御回路１１からＡＤＣ１４には、制御信号ＣＮａが入力され、制御回路１１から駆動回路１５には、制御信号ＣＮｄが入力されている。
【００１４】
選択回路１２は、例えばアナログスイッチなどのスイッチ回路Ｓ０ないしＳ７で構成されている。スイッチ回路Ｓ０ないしＳ７の一端は、それぞれ端子２０ないし２７に接続され、他端は、いずれも検出回路１３の入力端に接続されている。また、スイッチ回路Ｓ０ないしＳ７には、それぞれをオン・オフ制御するための制御信号ＣＮ０ないしＣＮ７が入力されている。なお、スイッチ回路Ｓ０ないしＳ７は、それぞれ制御信号ＣＮ０ないしＣＮ７がハイ・レベルの間オンとなる。
【００１５】
駆動回路１５からは、駆動信号ＤＲＶが出力され、当該駆動信号ＤＲＶは、端子２８を介してタッチパネル３の駆動電極に印加されている。また、検出回路１３からは、検出信号Ｖｃｈが出力され、当該検出信号Ｖｃｈは、ＡＤＣ１４に入力されている。さらに、ＡＤＣ１４からは、チャネルデータＤｃｈが出力され、当該チャネルデータＤｃｈは、制御回路１１に入力されるとともに、マイクロコンピュータ５によって読み出されている。
【００１６】
＝＝＝静電容量型タッチセンサの動作＝＝＝
以下、図２および図３を適宜参照して、本実施形態における静電容量型タッチセンサの動作について説明する。  
まず、図２を参照して、ＣＨ０データないしＣＨ７データの連続リード時の動作について説明する。
【００１７】
駆動回路１５は、制御信号ＣＮｄに応じて駆動信号ＤＲＶを発生し、タッチパネル３の駆動電極に印加する。また、選択回路１２のスイッチ回路Ｓ０ないしＳ７は、それぞれ制御信号ＣＮ０ないしＣＮ７に応じてオン・オフ制御される。ここで、図２に示すように、制御信号ＣＮ０ないしＣＮ７は、当該順序で１つずつハイ・レベルとなり、スイッチ回路Ｓ０ないしＳ７は、当該順序で１つずつオンとなる。したがって、選択回路１２は、タッチパネル３のチャネルＣＨ０ないしＣＨ７を当該順序（所定の順序）で１つずつ選択し、選択されたチャネルＣＨｘ（以下、選択チャネルＣＨｘと称する）が検出回路１３の入力端に順次接続される。
【００１８】
検出回路１３は、例えばＣＶアンプとして構成され、選択チャネルＣＨｘと駆動電極との間に形成される静電容量を電圧に変換し、当該静電容量に応じた電圧を有する検出信号Ｖｃｈを出力する。また、ＡＤＣ１４は、検出信号Ｖｃｈをさらにデジタル信号に変換し、選択チャネルＣＨｘのチャネルデータＤｃｈを出力する。したがって、ＡＤＣ１４は、図２に示すように、ＣＨ０データないしＣＨ７データを当該順序でチャネルデータＤｃｈとして出力する。そして、チャネルデータＤｃｈは、マイクロコンピュータ５によって順次読み出される。
【００１９】
このようにして、本実施形態の静電容量型タッチセンサは、連続リード時には、チャネルＣＨ０ないしＣＨ７を当該順序（所定の順序）で１つずつ選択して順次切り替え、選択チャネルＣＨｘ（０≦ｘ≦７）のチャネルデータＤｃｈを連続して読み出している。そして、マイクロコンピュータ５において、チャネルデータＤｃｈが示す静電容量の変化に基づいてタッチ位置を検出することができる。
【００２０】
次に、図３を参照して、１つのチャネルのデータ（例えばＣＨ４データ）の単体リード時の動作について説明する。なお、本実施形態において、単体リード時の動作は、制御回路１１から出力される制御信号ＣＮ０ないしＣＮ７や、それらに応じたスイッチ回路Ｓ０ないしＳ７のオン・オフ制御を除いて、連続リード時の動作と同様である。
【００２１】
ＣＨ４データのみを単体リードする場合、制御回路１１は、図３に示すように、まず制御信号ＣＮ３のみをハイ・レベルとし、スイッチ回路Ｓ３のみをオンした後に、制御信号ＣＮ４のみをハイ・レベルとし、スイッチ回路Ｓ４のみをオンする。したがって、選択回路１２は、チャネルＣＨ３を選択した後に、チャネルＣＨ４を選択し、ＡＤＣ１４は、図３に示すように、ＣＨ３データおよびＣＨ４データを当該順序でチャネルデータＤｃｈとして出力する。
【００２２】
このようにして、本実施形態の静電容量型タッチセンサは、ＣＨ４データの単体リード時には、チャネルＣＨ３およびＣＨ４を当該順序で選択し、ＣＨ３データおよびＣＨ４データを当該順序で読み出している。すなわち、ＣＨ４データを読み出す前に、ＣＨ３データのダミー読み出しを行っている。そのため、チャネルＣＨ３からチャネルＣＨ４に切り替えるタイミングを連続リード時と一致させ、単体リード時のＣＨ４データを連続リード時のＣＨ４データと一致させることができる。
【００２３】
なお、２つ以上のチャネルのデータのダミー読み出しを行ってもよい。例えば、ＣＨ４データの単体リード時に、チャネルＣＨ２ないしＣＨ４を当該順序で選択し、ＣＨ２データないしＣＨ４データを当該順序で読み出してもよい。
【００２４】
また、ＣＨ４データ以外の単体リード時においても、連続リード時の読み出し順序（所定の順序）において単体リード対象のチャネルの直前に選択されるチャネルと、単体リード対象のチャネルとを連続リード時の読み出し順序で選択することとなる。例えば、ＣＨ２データの単体リード時には、チャネルＣＨ１およびＣＨ２を当該順序で選択し、ＣＨ１データおよびＣＨ２データを当該順序で読み出すこととなる。
【００２５】
また、２つ以上のチャネルの場合を含めて、一部のチャネルのデータを読み出す場合にも、連続リード時の読み出し順序において当該一部のチャネルの直前に選択されるチャネルを選択した後に、当該一部のチャネルを選択することとなる。例えば、ＣＨ６データおよびＣＨ７データを読み出す場合には、チャネルＣＨ５ないしＣＨ７を当該順序で選択し、ＣＨ５データないしＣＨ７データを当該順序で読み出すこととなる。
【００２６】
＜第２実施形態＞
＝＝＝静電容量型タッチセンサの構成＝＝＝
以下、図４を参照して、本発明の第２の実施形態における静電容量型タッチセンサの構成について説明する。  
図４に示されている静電容量型タッチセンサは、第１実施形態の静電容量型タッチセンサに対して、信号処理回路１ａの代わりに信号処理回路１ｂを含んで構成されている。また、信号処理回路１ｂは、信号処理回路１ａに対して、放電回路１６をさらに含んで構成されている。なお、図４において、信号処理回路１ｂと接続されるマイクロコンピュータ５は省略されている。
【００２７】
放電回路１６は、例えばＮＭＯＳ（N-channel Metal-Oxide Semiconductor：Ｎチャネル金属酸化膜半導体）トランジスタであるトランジスタＴ０ないしＴ７と、インバータ（反転回路）Ｉ０ないしＩ７とで構成されている。トランジスタＴ０ないしＴ７のソースは、それぞれ端子２０ないし２７に接続され、ドレインは、いずれもグランド電位（所定の電位）に接続されている。また、トランジスタＴ０ないしＴ７のゲートには、それぞれ制御信号ＣＮ０ないしＣＮ７の反転信号が入力され、トランジスタＴ０ないしＴ７は、それぞれ制御信号ＣＮ０ないしＣＮ７がロー・レベルの間オンとなる。
【００２８】
＝＝＝静電容量型タッチセンサの動作＝＝＝
以下、図５および図６を適宜参照して、本実施形態における静電容量型タッチセンサの動作について説明する。  
まず、図５を参照して、ＣＨ０データないしＣＨ７データの連続リード時の動作について説明する。なお、本実施形態における連続リード時の動作は、放電回路１６の動作を除いて、第１実施形態における連続リード時の動作と同様である。
【００２９】
制御回路１１は、図５に示すように、制御信号ＣＮ０ないしＣＮ７を当該順序で１つずつハイ・レベルとし、選択回路１２は、タッチパネル３のチャネルＣＨ０ないしＣＨ７を当該順序（所定の順序）で１つずつ選択する。また、トランジスタＴ０ないしＴ７のうち、選択チャネルＣＨｘに接続されているトランジスタＴｘは、ハイ・レベルの制御信号ＣＮｘによってオフとなり、それ以外のトランジスタは、ロー・レベルの制御信号によってオンとなる。したがって、放電回路１６は、図５に示すように、選択回路１２によって選択されている選択チャネルＣＨｘをグランド電位に接続せず、選択されていないチャネルをいずれもグランド電位に接続する。
【００３０】
このようにして、本実施形態の静電容量型タッチセンサは、第１実施形態の静電容量型タッチセンサと同様に、連続リード時には、チャネルＣＨ０ないしＣＨ７を当該順序（所定の順序）で１つずつ選択して順次切り替え、選択チャネルＣＨｘ（０≦ｘ≦７）のチャネルデータＤｃｈを連続して読み出している。そして、マイクロコンピュータ５において、チャネルデータＤｃｈが示す静電容量の変化に基づいてタッチ位置を検出することができる。
【００３１】
次に、図６を参照して、１つのチャネルのデータ（例えばＣＨ４データ）の単体リード時の動作について説明する。なお、本実施形態において、単体リード時の動作は、制御回路１１から出力される制御信号ＣＮ０ないしＣＮ７や、それらに応じたスイッチ回路Ｓ０ないしＳ７、およびトランジスタＴ０ないしＴ７のオン・オフ制御を除いて、連続リード時の動作と同様である。
【００３２】
ＣＨ４データのみを単体リードする場合、制御回路１１は、図６に示すように、制御信号ＣＮ４のみをハイ・レベルとし、選択回路１２は、チャネルＣＨ４を選択する。また、トランジスタＴ０ないしＴ７のうち、トランジスタＴ４は、チャネルＣＨ４の選択期間のみ、ハイ・レベルの制御信号ＣＮ４によってオフとなり、それ以外の期間は、ロー・レベルの制御信号によってオンとなる。さらに、トランジスタＴ４以外のトランジスタは、ロー・レベルの制御信号によって常にオンとなる。したがって、放電回路１６は、図６に示すように、チャネルＣＨ４をその選択期間のみグランド電位に接続せず、それ以外のチャネルを常にグランド電位に接続する。
【００３３】
このようにして、本実施形態の静電容量型タッチセンサは、ＣＨ４データの単体リード時には、チャネルＣＨ４を選択し、ＣＨ４データのみを読み出している。また、連続リード時および単体リード時のいずれにおいても、選択されていないチャネルをいずれもグランド電位に接続して、残留電荷を確実に放電している。そのため、チャネルＣＨ４と駆動電極との間に形成される電界分布を連続リード時と一致させ、単体リード時のＣＨ４データを連続リード時のＣＨ４データと一致させることができる。なお、選択されていないチャネルをグランド電位以外の所定の電位に接続してもよい。
【００３４】
また、本実施形態の静電容量型タッチセンサは、ダミー読み出しを行わないため、第１実施形態の静電容量型タッチセンサよりも単体リードを短時間で行うことができる。しかしながら、第１実施形態のダミー読み出しは、チャネルの切り替えタイミングを一致させる手段であるのに対して、本実施形態の放電回路１６は、電極間の電界分布を一致させる手段であり、課題解決手段が異なる。そのため、両手段を組み合わせて、連続リード時のデータと単体リード時のデータとをより確実に一致させる構成としてもよい。
【００３５】
前述したように、静電容量型タッチセンサ用の信号処理回路１ａにおいて、一部のチャネル（例えばチャネルＣＨ６およびＣＨ７）のデータのみを読み出す場合には、連続リード時の読み出し順序（所定の順序）において当該一部のチャネルの直前に選択されるチャネル（チャネルＣＨ５）を選択した後に、当該一部のチャネルを選択することによって、チャネルを切り替えるタイミングを連続リード時と一致させ、データを連続リード時と一致させることができるため、データ間のオフセット演算を不要とすることができる。
【００３６】
また、１つのチャネル（例えばチャネルＣＨ４）のデータの単体リード時には、連続リード時の読み出し順序において単体リード対象のチャネルの直前に選択されるチャネル（チャネルＣＨ３）と、単体リード対象のチャネルとを連続リード時の読み出し順序で選択することによって、（チャネルＣＨ３からチャネルＣＨ４に）チャネルを切り替えるタイミングを連続リード時と一致させ、連続リード時のデータと単体リード時のデータとを一致させることができる。
【００３７】
また、制御回路１１から、スイッチ回路Ｓ０ないしＳ７をそれぞれオン・オフ制御するための制御信号ＣＮ０ないしＣＮ７を出力することによって、制御信号ＣＮ０ないしＣＮ７に応じて選択された選択チャネルＣＨｘを検出回路１３の入力端に接続し、連続リードまたは単体リードを行うことができる。
【００３８】
また、信号処理回路１ｂの放電回路１６を組み合わせて用いることによって、選択チャネルＣＨｘと駆動電極との間に形成される電界分布を連続リード時と単体リード時とで一致させ、連続リード時のデータと単体リード時のデータとをより確実に一致させることができる。
【００３９】
また、前述したように、図１に示した静電容量型タッチセンサにおいて、駆動信号ＤＲＶをタッチパネル３の駆動電極に印加しつつ、ＣＨ０データないしＣＨ７データを連続リードまたは単体リードし、単体リード時には、単体リード対象のチャネル（例えばチャネルＣＨ４）のデータを読み出す前に、連続リード時の読み出し順序において単体リード対象のチャネルの直前に選択されるチャネル（チャネルＣＨ３）のデータのダミー読み出しを行うことによって、チャネルを切り替えるタイミングを連続リード時と一致させ、連続リード時のデータと単体リード時のデータとを一致させることができるため、データ間のオフセット演算を不要とすることができる。
【００４０】
また、前述したように、静電容量型タッチセンサ用の信号処理回路１ｂにおいて、連続リード時および単体リード時のいずれにおいても、選択されていないチャネルをいずれもグランド電位（所定の電位）に接続して、残留電荷を確実に放電することによって、選択チャネルＣＨｘと駆動電極との間に形成される電界分布を連続リード時と単体リード時とで一致させ、連続リード時のデータと単体リード時のデータとを一致させることができるため、データ間のオフセット演算を不要とすることができる。
【００４１】
［請求項Ａ］
複数の検出電極と、駆動信号が印加される駆動電極との間に形成される静電容量の変化に基づいてタッチ位置を検出する静電容量型タッチセンサ用の信号処理回路であって、／前記複数の検出電極から１つを選択する選択回路と、／前記複数の検出電極のうち前記選択回路によって選択された検出電極と、前記駆動電極との間に形成される静電容量に応じた検出信号を出力する検出回路と、／前記複数の検出電極をそれぞれ所定の電位に接続する放電回路と、／前記選択回路を制御するとともに、前記複数の検出電極のうち、前記選択回路によって選択されている検出電極を前記所定の電位に接続せず、前記選択回路によって選択されていない検出電極を前記所定の電位に接続するように前記放電回路を制御する制御回路と、／を有することを特徴とする静電容量型タッチセンサ用の信号処理回路。
【００４２】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４３】
１ａ、１ｂ  信号処理回路
３          タッチパネル
５          マイクロコンピュータ
１１        制御回路
１２        選択回路
１３        検出回路
１４        ＡＤＣ（アナログ・デジタル変換回路）
１５        駆動回路
１６        放電回路
２０〜２８  端子
Ｓ０〜Ｓ７  スイッチ回路
Ｔ０〜Ｔ７  トランジスタ
Ｉ０〜Ｉ７  インバータ（反転回路）
【図１】
2013182593.tif 000003
【図２】
2013182593.tif 000004
【図３】
2013182593.tif 000005
【図４】
2013182593.tif 000006
【図５】
2013182593.tif 000007
【図６】
2013182593.tif 000008